(57)【特許請求の範囲】
【請求項１】
携帯コンロの下面に設けられた接続口に接続可能で、接続された時に本体部材内に封入されたガスが出るように構成された携帯コンロ用ガスボンベであって、
上記本体部材の上端部に、接続口に接続する接続部材が取付けられるとともに、
該接続部材と本体部材との間に、加熱されることにより変形して本体部材を切り離す変形手段が設けられた
携帯コンロ用ガスボンベ。
【請求項２】
前記接続部材が、前記接続口に接続される首部と、該首部の下端部から延設された肩部とを有する形状であるとともに、
該肩部に、金属製のカバー部材が取付けられた
請求項１に記載の携帯コンロ用ガスボンベ。
【請求項３】
前記カバー部材の表面に、当該ガスボンベに関する情報が表示された
請求項２に記載の携帯コンロ用ガスボンベ。
【請求項４】
前記本体部材が、透明な合成樹脂からなる容器体を有するとともに、該容器体の外周面には、一部に透視窓を有する金属製の外装部材が被着された
請求項１から請求項３のうちのいずれか一項に記載の携帯コンロ用ガスボンベ。
【請求項５】
コンロ本体と、該コンロ本体を支持する支持台とを有し、上記コンロ本体の下面に接続口が設けられ、該接続口に前記請求項１から請求項４のうちのいずれか一項に記載の携帯コンロ用ガスボンベが着脱可能に接続される携帯コンロであって、
上記支持台が、接続口に接続された携帯コンロ用ガスボンベの脱落時に携帯コンロ用ガスボンベからのガスの噴出を停止する高さに携帯コンロ用ガスボンベを宙吊りにするものである
携帯コンロ。
【請求項６】
前記コンロ本体の下面に、一部が携帯コンロ用ガスボンベの側面に接触してコンロ本体からの熱をガスボンベに伝える熱伝導板が垂設された
請求項５に記載の携帯コンロ。
【請求項７】
前記コンロ本体に、火力を調節する回転可能な操作つまみと、該操作つまみに摺接して操作つまみの回転角度を規制する弾性変位可能な規制部材とが設けられた
請求項５または請求項６に記載の携帯コンロ。
【発明の詳細な説明】
【技術分野】
【０００１】
この発明は、たとえば一人用や少人数用の鍋料理などを提供するときに用いることができるような携帯コンロ用ガスボンベと携帯コンロに関し、より詳しくは、安全性を高めることができるような携帯コンロ用ガスボンベと携帯コンロに関する。
【背景技術】
【０００２】
携帯コンロとしては、下記特許文献１、２のようなものが開示されている。  
これらいずれの携帯コンロも、中央部にバーナを有し、上面に五徳を乗せる厚みのある略円板状をなすコンロ本体と、該コンロ本体を支持する略円筒状の支持台とからなる。コンロ本体の下面には、ガスボンベを接続する接続口が設けられており、接続口に接続したときガスボンベは支持台の内側に収まった状態になる。また、接続口にガスボンベを接続すると、ガスボンベの上端部に備えられたノズル部分が押し下げられて、ガスボンベ内に封入されたガスが噴出し、コンロ本体内に備えられた開閉器に導入される。そして開閉器に備えられた操作つまみの回転操作によって、ガスがバーナに向けて噴射され、バーナにおいて燃焼するように構成されている。
【０００３】
また、ガスボンベは、使用によりガスが減ったときにはガスを充填することができるように構成されており、このガスボンベは透明の合成樹脂からなる容器を用いて形成されている。
【０００４】
ガスボンベが透明の容器からなり、内部を透視できるので、ガスの残量が目視でもはっきりと認識でき便利であるなどの利点を有する。
【０００５】
このような携帯コンロにおいて、ガスボンベと接続口の接続は、ガスボンベの上端部に形成された雄ねじを螺合して行う。つまり、人手によって回転しない限り、ガスボンベを接続口から外すことはできない。
【０００６】
このため、使用に従ってガスボンベが不測に高温になり、万が一ガスボンベ内の圧力が高まった場合でも、人手によって外さない限り、ガスが出つづける構造である。
【０００７】
【特許文献１】特開２００４−４４８１６号公報
【特許文献２】特開２００４−２４５４００号公報
【発明の開示】
【発明が解決しようとする課題】
【０００８】
そこで、この発明は、ガスボンベ内の圧力が高まった時にガスの噴出を停止できるようにして安全性を高めることを主たる課題とする。
【課題を解決するための手段】
【０００９】
そのための手段は、携帯コンロの下面に設けられた接続口に接続可能で、接続された時に本体部材内に封入されたガスが出るように構成された携帯コンロ用ガスボンベであって、上記本体部材の上端部に、接続口に接続する接続部材が取付けられるとともに、該接続部材と本体部材との間に、加熱されることにより変形して本体部材を切り離す変形手段が設けられた携帯コンロ用ガスボンベである。上記変形部材の全部または一部にはバイメタルを用いるとよい。
【００１０】
携帯コンロ用ガスボンベが何らかの要因で高温にさらされるようになった場合には、接続部材と本体部材との間に設けられた変形部材が予め定めたように熱によって変形し、接続口に接続された接続部材から本体部材を分離する。分離された本体部材は、接続口に対しての接続が解除されたことによって、ガスの噴出を停止する。このため、危険の発生を防止することができる。
【００１１】
別の手段は、コンロ本体と、該コンロ本体を支持する支持台とを有し、上記コンロ本体の下面に接続口が設けられ、該接続口に前記携帯コンロ用ガスボンベが着脱可能に接続される携帯コンロであって、上記支持台が、接続口に接続された携帯コンロ用ガスボンベの脱落時に携帯コンロ用ガスボンベからのガスの噴出を停止する高さに携帯コンロ用ガスボンベを宙吊りにするものである携帯コンロである。
【００１２】
上記のように携帯コンロ用ガスボンベは、高温にさらされると、変形部材の変形によって、接続口に接続された接続部材から本体部材を切り離す。このとき、コンロ本体を支持する支持台は、携帯コンロ用ガスボンベの脱落時に携帯コンロ用ガスボンベからのガスの噴出を停止する高さに携帯コンロ用ガスボンベを宙吊りにするものであるので、切り離されて落下する本体部材からのガスの噴出は停止する。この結果、危険の発生を防止することができる。
【発明の効果】
【００１３】
以上のように、この発明によれば、携帯コンロ用ガスボンベは、高温にさらされるときにはガスを封入している本体部材を携帯コンロから自動的に切り離し、分離することができる。この結果、ガスの噴出を停止させて、不測の危険の発生を未然に防ぐことが可能となる。
【発明を実施するための最良の形態】
【００１４】
この発明を実施するための一形態を、以下図面を用いて説明する。  
図１は、携帯コンロ１１（以下、「コンロ」という。）の構成を示す断面図であり、コンロ１１は、コンロ本体２１と、該コンロ本体２１を所定高さに支持する支持台３１とを有する。そして、コンロ本体２１の下面であって支持台３１に囲まれた空間には、携帯コンロ用ガスボンベ４１（以下、「ボンベ」という。）が着脱可能に接続される。
【００１５】
ボンベ４１は、コンロ本体２１の下面に設けられた略円筒状をなす接続口２２に取付けられるもので、図２に示したように、ガス４２を封入する本体部材５１と、コンロ本体２１に対して接続するために本体部材５１の上端部に嵌着された接続部材６１と、非使用時に接続部材に被せる蓋部材７１とからなる。
【００１６】
本体部材５１は、透明の合成樹脂からなる容器体５２と、該容器体５２の上端の開口部に備えられた弁装置５３と、容器体５２の開口部を気密状態に閉塞するキャップ部材５４とを有する。キャップ部材５４は金属製であり、かしめによる固定で容器体５２と不可分に一体化されている。
【００１７】
容器体５２は、下側部分の方が上側部分に比べて水平方向に大きく形成され、たとえば上から落とした時でも安定して接地できる形状である。また、容器体５２の外周面には、金属製の外装部材５５が被着されている。外装部材５５には、複数個の透視窓５６が形成され、内部に入っているガス４２の残量が一目でわかるようにしてある。透視窓５６は、図示したように縦長の長円形に形成し、その縁には、図２に示した如く、封入するガス４２の適量の最大値を示すように、たとえば「上限」などの表示５７をしておく。
【００１８】
弁装置５３は、コンロ本体２１の接続口２２に対して接続したときにガス４２を噴出するようにすべく、上方に向けて付勢された上下動可能なノズル部５３ａを有する。すなわち、ボンベ４１を接続口２２に接続すると、ノズル部５３ａが押し下げられてガス４２が噴出する一方、接続口２２から外すと付勢力によってノズル部５３ａが上動してガス４２の噴出が止まる。この弁装置５３はまた、ガス４２の充填もできるように構成されている。
【００１９】
なお、ガス４２には周知の液化ガスが使用される。図中５８は吸い上げ芯であり、５９はパッキングである。
【００２０】
上記接続部材６１は、本体部材５１の上端部に嵌着されるものである。すなわち、上端面に上記弁装置５３のノズル部５３ａを出す穴部を有した筒状の首部６２と、該首部６２の下端から外周方向に広がるように延設された肩部６３とを有する。首部６２の外周には、接続口２２に螺合するための雄ねじ６２ａが形成されている。また肩部６３は断面逆Ｌ字形に形成され、水平な水平面６３ａと、該水平面６３ａの先端から下方に下がる垂直面６３ｂとを有する。垂直面６３ｂは、容器体５２の上部に形成された段部５２ａに上から嵌合し、周方向に相対回転不可能に結合される。
【００２１】
この肩部６３には、カバー部材６４が取付けられる。カバー部材６４は金属製で、上記水平面６３ａと垂直面６３ｂとを覆う断面Ｌ字形をなすリング状である。このカバー部材６４を有することにより、接続部材６１の肩部６３が衝撃や熱、汚れなどから保護される。また、図３に示したように、その上面にはボンベ４１に関する情報６４ａ、好ましくはボンベ４１の安全に関する情報が表示されている。表示は、適宜の手段で行えるが、たとえば刻印によって行うと、容易には消えない上に、肩部６３が合成樹脂製であっても安っぽい印象を与えないため看者の注意を引くことができる。上記安全に関する情報６４ａとしては、ボンベ４１がガス４２の使用と充填を繰り返して行うことができるものであるため、たとえば図示したような「使用期限」の如き情報６４ａが挙げられる。使用期限は、繰り返しの使用による各部材の劣化の可能性などを考慮して、専門的観点から決定される。
【００２２】
このような接続部材６１を本体部材５１に対して嵌着するときには、両者の対向面間に変形部材８１を介装する。変形部材８１は、熱を受けて温度が上がることによって変形を起すもので、全体がバイメタルで形成される。その形状は、接続部材６１の首部６２の内周面に重なる断面逆Ｌ字形をなすリング状であり、熱を受けて所定温度以上になると図４に仮想線で示したように下側部分が外周方向に広がって、本体部材５１の嵌合状態を解き、本体部材５１を解放するように構成されている。変形部材８１は、接続部材６１に備えられるも、本体部材５１に備えられるも、あるいはいずれにも従属しないものであるもよい。
【００２３】
一方、コンロ本体２１は、図１に示したように、ボンベ４１を接続する上記接続口２２を下方に突出するように有し、内部における接続口２２の上方位置には、ボンベ４１から噴出するガス４２を、中央部に内蔵されたバーナ２３に向けて噴射する開閉のための開閉器２４が備えられている。開閉器２４は、全閉から全開まで連続的に開閉を行うもので、この開閉を行うための回転可能な操作つまみ２５を有する。
【００２４】
そして、この操作つまみ２５の回転動作に節度をもたせて角度を規制するために、操作つまみ２５の内側には外周面が凹凸に形成された規制ダイヤル部２６が設けられる一方、操作つまみ２５を回転可能に支持する本体側には、側面視Ｌ字形をなし弾性変位可能な規制部材２７が設けられている。規制部材２７の先端部が規制ダイヤル部２６の凹凸に相対的に摺接して、操作つまみ２５の回転角度の微調整を可能にするとともに、設定した回転角度を保持できるようにしている。
【００２５】
また、コンロ本体２１の下面には、中央に内蔵されたバーナ２３の下側位置から熱伝導性の良好な金属材料からなる熱伝導板２８が取付けられている。熱伝導板２８は、コンロ本体２１の下面に取付けられる取付け部２８ａを有し、該取付け部２８ａの端には下方に下がる垂設片２８ｂが形成され、この垂設片２８ｂの下端部に、ボンベ４１を抱きかかえるように平面視円弧状をなす接触部２８ｃが形成されている。この熱伝導板２８の存在により、液状のガス４２が気化することに伴って温度が低下して起こる気化不良をなくし、ガス圧を一定にして所望の火力を保つようにすることができる。
【００２６】
このようなコンロ本体２１を支持する支持台３１は、コンロ本体２１の下面を受ける受け部３２を内周部に有した略円筒状であり、この支持台３１の高さは、図１に示した如く、ボンベ４１を接続口２２に接続した時にボンベ４１を宙吊りにする、つまり、接続口２２に接続されたボンベ４１の下面と支持台３１が接地する接地面９１との間に空間ができる高さに設定されている。そしてその高さは、接続口２２に接続されたボンベ４１が接続口２２から脱落した時に弁装置５３のノズル部５３ａが付勢力に従って元の突出位置に戻り、ガス４２の噴出を停止するのに必要な高さである。
【００２７】
このように構成された携帯コンロ１１によれば、コンロ本体２１の接続口２２にボンベ４１を装着し、操作つまみ２５をひねって点火すれば、ガス４２を燃焼させることができる。このとき、操作つまみ２５には規制部材２７によって回転が規制される規制ダイヤル部２６が設けられているので、火力の調節が細かに行える。特に火力を小さく設定する場合には、所望の火力が得られるとともに、その火力を保持しての燃焼が可能である。
【００２８】
すなわち、操作つまみ２５の回転角度を一定に保って細い炎にした場合でも安全に使用できるうえに、熱伝導板２８によりボンベ４１を暖めることができて一定の圧力を保って、燃焼を行わせることができる。
【００２９】
そして、様々な使用状況のなかで、ボンベ４１の温度が不測に上がってしまった場合には、ボンベ４１の本体部材５１と接続部材６１との間に備えられた変形部材８１が、図４に仮想線で示したように、その下側部分を外周側に反り返らせるように変形する。このため、本体部材５１は接続部材６１から切り離され自重により落下する。本体部材５１には外装部材５５が取付けられているのでガス４２が少なくなっている場合でも落下に必要な重量を確保できる。この結果、ボンベ４１の本体部材５１に備えられた弁装置５３のノズル部５３ａが上動して、ガス４２の噴出が止まる。落下した本体部材５１は、キャップ部材５４で密閉されているので、ガス４２が漏れることはなく、また、その容器体５２の形態にゆえに、落下した時に転倒することなく安定して接地する。
【００３０】
このように、上述の携帯コンロ１１は、火力の操作が簡単であるとともに、一定の火力も持続して得られる上に、不測の事態を回避することもでき、安全性がきわめて高い携帯コンロ１１である。
【００３１】
また、ボンベ４１には、カバー部材６４が備えられ、ボンベ４１の接続部材６１の一部を保護するとともに、そのカバー部材６４にはボンベ４１に関する安全上必要な情報６４ａが付されているので、使用者に注意を喚起できる。
【００３２】
さらに、ボンベ４１は透明の合成樹脂からなる容器体５２を用いて構成されているが、この容器体５２は、外装部材５５で保護されており安全性の高いものである上さらに、外装部材５５が透視窓５６を有しているので、ガス４２の残量が一目で視認できる。この結果、必要に応じてガス４２の補充ができるとともに、必要以上にガスが充填された不適切な使用状態がないようにすることができる。
【００３３】
上述のように、ボンベ４１とコンロ１１との構造により安全を確保するとともに、使用者に注意を喚起したり適正な使用を促したりすることによっても、安全性を得ることができる。
【００３４】
この発明の構成と上記一形態の構成との対応において、  
この発明の変形手段は、上記一形態の変形部材８１に対応するも、  
この発明は、上記一形態の構成のみに限定されるものではない。
【００３５】
たとえば、変形手段は、本体部材または接続部材のいずれか一方に設けられるものであるもよい。  
カバー部材に表示される情報としては、製造年や要領に応じた使用可能時間などその他の上方であるもよい。  
また、携帯コンロはコンロ本体に対して支持台が一体に設けられているものであるもよい。  
【図面の簡単な説明】
【００３６】
【図１】携帯コンロの断面図。
【図２】携帯コンロ用ガスボンベの片側断面図。
【図３】携帯コンロ用ガスボンベの蓋部材を外した状態の平面図。
【図４】要部の断面図。
【符号の説明】
【００３７】
１１…携帯コンロ
２１…コンロ本体
２２…接続口
２５…操作つまみ
２６…規制ダイヤル部
２７…規制部材
２８…熱伝導板
３１…支持台
４１…携帯コンロ用ガスボンベ
４２…ガス
５１…本体部材
５２…容器体
５５…外装部材
５６…透視窓
６１…接続部材
６２…首部
６３…肩部
６４…カバー部材
６４ａ…情報
８１…変形部材
【図１】
0004839124.tif 000002
【図２】
0004839124.tif 000003
【図３】
0004839124.tif 000004
【図４】
0004839124.tif 000005